(57)【要約】【課題】鏡として利用した場合に使い勝手のよい電子カメラを提供する。【解決手段】固定ミラーモードとして、撮影者自身を撮影し、その撮影画像から撮影者が拡大表示させる領域を選択すると、その選択された領域の画像が鏡のように左右反転して液晶ディスプレイ１８に拡大表示される。この拡大判定画像は、常に一定位置が一定の大きさで表示されるように手振れ補正処理及び倍率補正処理が施される。これにより、離れた場所から細かい部分を拡大して見ることができるとともに、揺れのない安定した画像を見ることができる。【選択図】    図５
2005005791.tif 000002
【特許請求の範囲】
【請求項１】
撮像手段と表示手段とがほぼ同じ方向に向けられ、該表示手段に表示された画像を見ながら撮影者が撮影者自身の顔を撮影可能な電子カメラにおいて、
前記表示手段に表示された画像から拡大表示する領域を選択設定する選択手段と、
前記撮像手段に撮像された画像から前記選択手段で選択された領域を切り出す切り出し手段と、
手振れを検出する手振れ検出手段と、
前記手振れ検出手段の出力に応じて前記切り出し手段が切り出す領域をシフトさせて手振れ補正を行なう手振れ補正手段と、
前記切り出し手段で切り出された領域の画像を左右反転させて前記表示手段に鏡像として拡大表示させる表示制御手段と、
を備えたことを特徴とする電子カメラ。
【請求項２】
前記表示手段に表示される画像の大きさの変化を検出する大きさ変化検出手段と、
前記大きさ変化検出手段の出力に応じて前記切り出し手段が切り出す領域を拡縮させて表示手段に表示される画像の大きさを一定に保つ大きさ補正手段と、
を備えたことを特徴とする請求項１に記載の電子カメラ。
【請求項３】
照射領域が異なる複数の照明手段と、
前記選択手段で選択された領域が照射されるように前記照射手段を個別に制御する照明制御手段と、
を備えたことを特徴とする請求項１又は２に記載の電子カメラ。
【請求項４】
撮像手段と表示手段とがほぼ同じ方向に向けられ、該表示手段に表示された画像を見ながら撮影者が撮影者自身の顔を撮影可能な電子カメラにおいて、
ズームボタンと、
前記ズームボタンの押圧操作に応動して前記撮像手段に撮像された画像の中央部を切り出す電子ズーム手段と、
前記電子ズーム手段で切り出された画像を前記表示手段に拡大表示させる表示制御手段と、
前記撮像手段と同じ方向に向けて配置されるとともに、照射角を変更可能なズーム照明手段と、
前記電子ズーム手段によって切り出された範囲が前記ズーム照明手段から発射された光によって照射されるように、前記ズーム照明手段の照射角を制御するズーム照明制御手段と、
を備えたことを特徴とする電子カメラ。
【発明の詳細な説明】
【０００１】
【発明の属する技術分野】
本発明は電子カメラに係り、特に携帯電話などの携帯端末に組み込まれる電子カメラに関する。
【０００２】
【従来の技術】
外出先などでも簡単な化粧直しやコンタクトレンズの装着状態の確認ができるようにするために、手鏡を持ち歩く人は多い。
【０００３】
しかし、手鏡は比較的小型なものであることから、忘れやすく、また、なくしやすいという問題があった。
【０００４】
そこで、近年急速に普及しつつつある携帯電話に手鏡の機能を持たせ、手鏡の携行を不要にする提案がなされている。たとえば、特許文献１（特開２００１−１１９１５９号公報）では、折り畳み式の携帯電話のモニタ部に並列して鏡を取り付けることが提案されている。また、特許文献２（特開２００２−２０８９９８号公報）では、携帯電話に備えられたモニタが鏡として機能するように、ミラーモードを選択すると、画面の色が反射しやすい色に変わることが提案されている。
【０００５】
一方、特許文献３（特開２００２−１２５２２５号公報）では、コンパクトケース程度の大きさを有する本体ケースに小型カメラとモニタを備え、小型カメラで撮影した映像を左右反転させ、鏡像としてモニタに映し出すことが提案されている。
【０００６】
【特許文献１】
特開２００１−１１９１５９号公報
【０００７】
【特許文献２】
特開２００２−２０８９９８号公報
【０００８】
【特許文献３】
特開２００２−１２５２２５号公報
【０００９】
【発明が解決しようとする課題】
しかしながら、特許文献１のように、電話機自体に鏡を取り付ける構成にすると、そのスペースが電話機側に必要になり、電話機が大型化してしまうという欠点がある。
【００１０】
また、特許文献２のように、画面の色を反射しやすい色に変えて鏡として利用する方法の場合、暗い場所では画面を確認しづらいという欠点がある。
【００１１】
また、特許文献３のように、カメラで撮影した映像をモニタに左右反転させて映し出す方法の場合、細かい部分を確認できないという欠点があった。
【００１２】
本発明は、このような事情に鑑みてなされたもので、鏡として利用した場合に使い勝手のよい電子カメラを提供することを目的とする。
【００１３】
【課題を解決するための手段】
請求項１に係る発明は、前記目的を達成するために、撮像手段と表示手段とがほぼ同じ方向に向けられ、該表示手段に表示された画像を見ながら撮影者が撮影者自身の顔を撮影可能な電子カメラにおいて、前記表示手段に表示された画像から拡大表示する領域を選択設定する選択手段と、前記撮像手段に撮像された画像から前記選択手段で選択された領域を切り出す切り出し手段と、手振れを検出する手振れ検出手段と、前記手振れ検出手段の出力に応じて前記切り出し手段が切り出す領域をシフトさせて手振れ補正を行なう手振れ補正手段と、前記切り出し手段で切り出された領域の画像を左右反転させて前記表示手段に鏡像として拡大表示させる表示制御手段と、を備えたことを特徴とする電子カメラを提供する。
【００１４】
本発明によれば、撮像手段で撮影者自身の顔を撮影し、表示手段を鏡として使用する場合において、表示手段に表示された画像を見ながら選択手段で拡大表示する領域を選択すると、その領域が拡大されて表示手段に表示される。この際、画像は左右反転されて鏡像として表示され、また手振れに基づく画像の揺れが補正された状態で表示手段に表示される。これにより、離れた場所から細かい部分を拡大して見ることができるとともに、揺れのない安定した画像を見ることができる。
【００１５】
また、請求項２に係る発明は、前記目的を達成するために、前記表示手段に表示される画像の大きさの変化を検出する大きさ変化検出手段と、前記大きさ変化検出手段の出力に応じて前記切り出し手段が切り出す領域を拡縮させて表示手段に表示される画像の大きさを一定に保つ大きさ補正手段と、を備えたことを特徴とする請求項１に記載の電子カメラを提供する。
【００１６】
本発明によれば、手振れ等によりカメラが前後移動して表示手段に表示される画像の大きさが変化した場合であっても、表示手段に表示される画像が常に一定の大きさになるように切り出し手段で画像を切り出す範囲が拡縮される。これにより、手振れ等が生じても常に安定した画像を見ることができる。
【００１７】
また、請求項３に係る発明は、前記目的を達成するために、照射領域が異なる複数の照明手段と、前記選択手段で選択された領域が照射されるように前記照射手段を個別に制御する照明制御手段と、を備えたことを特徴とする請求項１又は２に記載の電子カメラを提供する。
【００１８】
本発明によれば、複数の照明手段を備え、拡大表示する領域に照明手段から光が照射される。これにより、暗い場所でも鏡として使用することができる。
【００１９】
また、請求項４に係る発明は、前記目的を達成するために、撮像手段と表示手段とがほぼ同じ方向に向けられ、該表示手段に表示された画像を見ながら撮影者が撮影者自身の顔を撮影可能な電子カメラにおいて、ズームボタンと、前記ズームボタンの押圧操作に応動して前記撮像手段に撮像された画像の中央部を切り出す電子ズーム手段と、前記電子ズーム手段で切り出された画像を前記表示手段に拡大表示させる表示制御手段と、前記撮像手段と同じ方向に向けて配置されるとともに、照射角を変更可能なズーム照明手段と、前記電子ズーム手段によって切り出された範囲が前記ズーム照明手段から発射された光によって照射されるように、前記ズーム照明手段の照射角を制御するズーム照明制御手段と、を備えたことを特徴とする電子カメラを提供する。
【００２０】
本発明によれば、いわゆる電子ズーム機能を備えた電子カメラにおいて、ズームによる画角変化に連動して、ズーム照明手段から照射される照明光の照射角が制御され、常に撮影画角に対応した範囲が照らされるようにズーム照明手段から照明光が照射される。
【００２１】
【発明の実施の形態】
以下、添付図面に従って本発明に電子カメラの好ましい実施の形態について詳説する。
【００２２】
図１は本発明が適用された携帯電話機の第１の実施の形態の外観図である。同図に示すように、この携帯電話機１０は、表示側筐体１２と操作側筐体１４とがヒンジ部１６で連結された折り畳み式の携帯電話機である。
【００２３】
表示側筐体１２には、その内側面にカラー表示が可能な液晶ディスプレイ１８と受話口２０とが設けられている。また、この表示側筐体１２の右上隅にはアンテナ２２が設けられている。
【００２４】
一方、操作側筐体１４には、その内側面に各種操作を行うための操作部２４と送話口２６とが設けられている。操作部２４は、ダイヤルボタン２８、通話ボタン３０、切／電源ボタン３２、クリアボタン３４、十字ボタン３６、コマンドボタン３８、ファンクションボタン４０Ａ〜４０Ｄ等で構成されており、使用するモードに応じて各種機能が割り当てられる。
【００２５】
ヒンジ部１６には、カメラユニット４２が設けられている。このカメラユニット４２は、ヒンジ部１６の中心軸の周りを回動自在に設けられており、撮影レンズ４４の向きを変えることができるようにされている。
【００２６】
携帯電話機１０をカメラとして使用する場合は、液晶ディスプレイ１８を電子ビューファインダとして利用し、この液晶ディスプレイ１８に映し出される画像を見ながら撮影を行なう。この際、液晶ディスプレイ１８に自分の顔を写し出しながら撮影する場合は、撮影レンズ４４を内側に向けて撮影し（撮影レンズ４４を液晶ディスプレイ１８と同じ方向に向けて撮影する）、相手の顔や風景を液晶ディスプレイ１８に写し出しながら撮影する場合は、撮影レンズ４４を外側に向けて撮影する（撮影レンズ４４を液晶ディスプレイ１８と反対側に向けて撮影する）。
【００２７】
図２は本実施の形態の携帯電話機１０の内部構成を示すブロック図である。同図に示すように、本実施の形態の携帯電話機１０は、中央演算処理装置（ＣＰＵ）５０、メモリ５２、メモリコントローラ５３、音声処理部５４、送受信回路５６、受話口２０のスピーカ５７、送話口２６のマイク５８といった通常の電話機能を実現するために必要な構成要素を備えている。
【００２８】
ＣＰＵ５０は、所定のプログラムに従って携帯電話機全体の動作を制御する制御部として機能する。すなわち、ＣＰＵ５０は、操作部２４から入力される指令信号に基づいて携帯電話機１０内の各回路を制御し、通信制御、撮影動作制御、画像処理制御、液晶ディスプレイ１８の表示制御、メモリ５２の読み書き制御及び容量管理（空き容量の検出を含む）などを行う。
【００２９】
メモリ５２は、ＲＯＭ領域とＲＡＭ領域とを含むブロックであり、ＲＯＭ領域には、ＣＰＵ５０が実行するプログラムや制御に必要な各種データなどが格納されている。一方、ＲＡＭ領域はＣＰＵ５０の作業用領域として利用され、撮影時には画像データの一時記憶領域としても利用される。メモリコントローラ５３は、ＣＰＵ５０からの指令に基づいてメモリ５２への書き込み、読み出し制御を行なう。
【００３０】
音声処理部５４は、ＣＰＵ５０と連携して音声信号を処理又は変換する手段であり、送受信回路５６から受入したデータの復号化処理、送受信回路５６を通じて送信するデータの符号化処理、スピーカ５７への出力信号生成処理、マイク５８からの入力音声信号の符号化処理などを行う。
【００３１】
通話モード（電話機能を使用するモード）において、通信相手との接続が確立されると、送話口２６のマイク５８から入力された音声が、電気信号に変換されて音声処理部５４に送られる。音声処理部５４は入力された音声信号をデジタル信号に変換（Ａ／Ｄ変換）し、所要の信号処理を施して所定形式の音声データに変換する。音声処理部５４で処理された音声データは、バス５９を介して送受信回路５６に送られ、送受信回路５６で所定の送信用信号形式に変換されたのち、アンテナ２２から送信される。
【００３２】
また、アンテナ２２で受信された信号が、送受信回路５６で復調され、音声処理部５４に送られる。音声処理部５４は、入力された音声信号を所定形式の音声データに変換する。音声処理部５４で生成された音声データ（受信データ）は、アナログ音声信号に変換（Ｄ／Ａ変換）されたのち、受話口２０のスピーカ５７に送られる。こうして、通話相手の音声が受話口２０のスピーカ５７から可聴出力される。もちろん、携帯電話機１０は、音声データのみならず、電子メール機能やインターネットのブラウザ機能などを利用して画像データや文書データ、プログラムデータなど種々のデータを送受信することも可能である。
【００３３】
また、本実施の形態の携帯電話機１０は、撮影機能を実現するための構成要素として、カメラユニット４２を構成する撮影レンズ４４とＣＣＤイメージセンサ（以下、ＣＣＤという。）６２に加えて、ＣＣＤ６２から得られる画像信号を処理するためのアナログ処理部６３、Ａ／Ｄ変換器６４、画像入力コントローラ６５、画像処理部６６、圧縮伸張部６７等を備えている。
【００３４】
撮影レンズ４４は短焦点レンズで構成されており、この撮影レンズ４４を通過した光は、ＣＣＤ６２の受光面上に焦点を結ぶ。ＣＣＤ６２の受光面には多数のフォトセンサ（受光素子）が平面的に配列されており、この受光面に結像された被写体像は、各フォトセンサによって入射光量に応じた量の信号電荷に変換される。
【００３５】
ＣＣＤ６２の各フォトセンサに蓄積された信号電荷は、ＣＰＵ５０の指令に従いタイミングジェネレータ（ＴＧ）６８から与えられる駆動パルスに基づいて信号電荷に応じた電圧信号（画像信号）として順次読み出される。
【００３６】
ＣＣＤ６２から読み出された画像信号は、アナログ処理部６３に送られ、このアナログ処理部６３で各画素ごとのＲ、Ｇ、Ｂ信号がサンプリングホールドされるとともに増幅される。アナログ処理部６３から出力されたアナログのＲ、Ｇ、Ｂ信号は、Ａ／Ｄ変換器６４でデジタルのＲ、Ｇ、Ｂ信号に変換されたのち、画像入力コントローラ６５を介してメモリ５２に取り込まれ、画像処理部６６に送られる。
【００３７】
画像処理部６６は、同時化回路（単板ＣＣＤのカラーフィルタ配列に伴う色信号の空間的なズレを補間して各点の色を計算する処理回路）、輝度・色差信号生成回路、ガンマ補正回路、輪郭補正回路、ホワイトバランス補正回路等を含むデジタル画像信号処理手段であり、ＣＰＵ５０からのコマンドに従ってメモリ５２を活用しながら画像信号を処理する。
【００３８】
画像処理部６６でホワイトバランス調整処理、ガンマ変換処理、輝度信号（Ｙ信号）及び色差信号（Ｃｒ，Ｃｂ  信号）への変換処理（ＹＣ処理）などの所定の信号処理が施されて生成された画像データはメモリ５２に一時的に記憶される。撮影中の映像を液晶ディスプレイ１８に表示させる場合には、このメモリ５２の内容が読み出されて表示回路７０に送られ、表示回路７０で表示用の信号形式に変換されて、液晶ディスプレイ１８に供給される。これにより、ＣＣＤ６２で捉えたリアルタイム映像（スルー画像）が液晶ディスプレイ１８に表示され、撮影者は、この液晶ディスプレイ１８の表示映像によって撮影画角（構図）を確認できる。
【００３９】
カメラモード（撮影機能を使用するモード）において、操作部２４の撮影ボタン（たとえばコマンドボタン３８）が押されると、ＣＰＵ５０は、これを検知して、記録用の撮影動作を実行する。すなわち、撮影ボタンの押下に応動してＣＣＤ６２の露光制御及び電荷の読み出し制御が行われる。こうして取り込まれた記録用の画像データは、画像処理部６６においてＹＣ処理その他の所定の信号処理を経た後、圧縮伸張部６７に送られ、ここで所定の圧縮フォーマット（例えば、ＪＰＥＧ形式）  に従って圧縮される。圧縮された画像データは、メモリ５２の画像保存領域に格納される。
【００４０】
画像再生時には、ユーザのファイル選択操作に応じてメモリ５２から画像データが読み出される。読み出された画像データは、圧縮伸張部６７に送られて伸張されたのち、表示回路７０に送られ、表示用の信号形式に変換されて液晶ディスプレイ１８に出力される。これにより、撮影した画像が液晶ディスプレイ１８に表示される。
【００４１】
さて、上記のように、本実施の形態の携帯電話機１０は、通常の通話機能に加えて撮影機能を備えており、この撮影機能を利用することにより、液晶ディスプレイ１８に撮影者自身を写し出すことができる。したがって、この機能を利用することにより、携帯電話機１０を手鏡のように使用することができる。
【００４２】
しかしながら、撮影レンズ４４を液晶ディスプレイ１８と同じ方向に向けて撮影者自身を撮影し、その映像をそのまま液晶ディスプレイ１８に表示させると、左右が反転した映像となり、鏡としては使いづらいものとなる。また、顔の近くを映そうとして顔に近づけ過ぎると、ＣＣＤ６２の受光面上に像が結像せず、うまく映し出せないという問題が生じる。
【００４３】
そこで、本実施の形態の携帯電話機１０は、「ミラーモード」として、鏡と同じようにＣＣＤ６２で捉えた画像を左右反転して液晶ディスプレイ１８に表示する機能と、「固定ミラーモード」として、その左右反転させた画像の中から撮影者が指定した部位を拡大して固定表示する機能を備えている。以下、このミラーモードと固定ミラーモードの処理動作について説明する。
【００４４】
ミラーモードと拡大ミラーモードは、カメラモードに設定された携帯電話機１０の撮影機能の一つとして作動する。
【００４５】
ここで、携帯電話機１０のカメラモードは、メニュー画面から起動するものとし、このカメラモードが起動された状態で操作部２４のファンクションボタン４０Ａを押すと、撮影モードが「通常モード」から「ミラーモード」に切り替わる。そして、更にもう一度ファンクションボタン４０Ａを押すと、撮影モードが「ミラーモード」から「固定ミラーモード」に切り替わる。
【００４６】
まず、「ミラーモード」の処理動作について説明する。上記のように、携帯電話機１０をカメラモードに設定し、撮影モードを「通常モード」とした状態で操作部２４のファンクションボタン４０Ａを押すと、撮影モードが「通常モード」から「ミラーモード」に移行する。
【００４７】
ミラーモードに移行すると、ＣＣＤ６２で捉らえた画像に対して左右反転処理が行なわれ、この左右反転処理がなされた画像が液晶ディスプレイ１８に出力表示される。この画像の左右反転処理は画像処理部６６にて行なわれ、画像処理部６６は、ＣＰＵ５０の指令に従いＹＣ処理後の画像データに対して画像の左右反転処理を施す。左右反転処理が施された画像データは、メモリ５２を介して表示回路７０に送られ、この表示回路７０で表示用の信号形式に変換されて液晶ディスプレイ１８に供給される。
【００４８】
これにより、図３に示すように、ＣＣＤ６２で捉えた画像が左右反転処理されて液晶ディスプレイ１８に表示され、鏡で写したような映像が液晶ディスプレイ１８に表示される。
【００４９】
ここで、このミラーモードの下、十字ボタン３６の上下のボタンが押されると、電子ズームが機能し、図４に示すように、その上下のボタンの押圧操作に応動して液晶ディスプレイ１８の画面中央部が段階的に拡大又は縮小表示される。
【００５０】
電子ズームの処理は、画像入力コントローラ６５を介してメモリ５２に取り込まれたＣＣＤ６２の全撮像エリアの画像データからズーム指令に応じたエリアの画像データを切り出し、これを拡大表示することにより行なわれる。メモリコントローラ５３は、ＣＰＵ５０からのズーム指令に基づきメモリ５２に取り込まれたＣＣＤ６２の全撮像エリアの画像データから所定エリアの画像データを切り出し、画像処理部６６に出力する。画像処理部６６は、この電子ズームされた画像データに対して所定の信号処理を施してメモリ５２に記録する。そして、このメモリ５２に記録された画像データが表示回路７０を介して液晶ディスプレイ１８に出力されることにより、所定の倍率で拡大された映像が液晶ディスプレイ１８に表示される。
【００５１】
なお、この電子ズームの機能は、通常撮影を行なう「通常モード」においても使用される。
【００５２】
次に、「固定ミラーモード」の処理動作について説明する。上記のように、「固定ミラーモード」は、左右反転させた画像の中から撮影者が指定した部位を拡大して固定表示する機能であり、撮影モードを「ミラーモード」に設定した後、操作部２４のファンクションボタン４０Ａを押すことにより設定される。この「固定ミラーモード」では、指定した部位が、液晶ディスプレイ１８の画面上で常に一定の大きさで表示されるように制御され、必要に応じて手振れ補正及び大きさ補正が行なわれる。
【００５３】
「固定ミラーモード」では、まず、拡大表示する領域の指定が行なわれる。この指定は液晶ディスプレイ１８の表示に基づいて行なわれ、撮影モードを「ミラーモード」から「固定ミラーモード」に切り替えると、図５（ａ）に示すように、液晶ディスプレイ１８上に左右反転画像とともに碁盤目状のガイドフレームＧと拡大領域指定フレームＳが表示される。拡大領域指定フレームＳは、ガイドフレームＧに沿って移動し、この拡大領域指定フレームＳを移動させて拡大表示する領域を指定する。拡大領域指定フレームＳの移動指示は、十字ボタン３６で行なわれ、拡大したい部分が拡大領域指定フレームＳの中央にくるようにフレーミングする。フレーミングの完了後、コマンドボタン３８を押すと、拡大する領域の指定が完了し、図５（ｂ）に示すように、指定された領域が電子ズームにより拡大されて表示される。
【００５４】
なお、ガイドフレームＧ及び拡大領域指定フレームＳの表示はＯＳＤ信号発生部７１によって行なわれる。ＯＳＤ信号発生部７１は、キャラクタジェネレータを含み、文字や記号などの情報を発生させるほか、ガイドフレームや拡大領域指定フレームなどの信号を発生させることができ、このＯＳＤ信号発生部７１から出力された信号が、必要に応じて画像信号に混合され、液晶ディスプレイ１８に供給される。これにより、液晶ディスプレイ１８に表示されるスルー画像や再生画像に文字や記号、線等が合成された合成画像が表示される。
【００５５】
上記のようにして、拡大表示させる領域が設定されると、次に、ズーム倍率の微調整が行なわれる。ズーム倍率の微調整は、十字ボタン３６の上下のボタンで行なわれ、十字ボタン３６の上ボタンを押すと表示画像が段階的に拡大し、下ボタンを押すと表示画像が段階的に縮小する。そして、所望のズーム倍率になったところで、コマンドボタン３８を押すとズーム倍率の微調整が完了する。
【００５６】
これにより、設定が完了し、図５  （Ｃ）  に示すように、指定した部位が液晶ディスプレイ１８に拡大表示される。
【００５７】
ここで、この固定ミラーモードで表示される画像は、常に一定の位置が一定の大きさで表示されるように出力制御され、所要の手振れ補正処理及び大きさ補正処理が施される。
【００５８】
手振れ補正処理は、現フィールドの画像と１フィールド前の画像とを比較して画像の移動量を求め、その動きを相殺するように画面の切り出し枠の位置を変えることにより行なわれ、大きさ補正処理は、現フィールドの画像と１フィールド前の画像とを比較して画像の大きさの変化量を求め、その大きさの変化を相殺するように画面の切り出し枠の大きさを変えることにより行なわれる。具体的には、次のように処理される。
【００５９】
画像入力コントローラ６５を介して取り込まれたＣＣＤ６２からの画像データは、メモリ５２及び動き検出部７３に出力される。メモリ５２は、１フィールド分の画像データを記憶し、これを１フィールド期間遅延して出力するが、この出力時に後述するようにメモリコントローラ５３によって、出力する１フィールド内の読出し領域（画面の切り出し枠）が制御される。
【００６０】
動き検出部７３は、現在のフィールドの動き検出領域における画像データと、メモリ５２及びメモリコントローラ５３を介して加えられる１フィールド前のフィールドの動き検出領域における画像データとを比較し、画像の移動量（移動ベクトル）と大きさ（面積）の変化量を求める。
【００６１】
画像比較は切り出し枠内の画像を解析し、二値化処理などにより明暗の境から対象の位置、大きさを把握して行なう。たとえば、図６に示すように、明暗の境から対象のＸ−Ｘ’軸のＸ１  、Ｘ２  、Ｙ−Ｙ’軸のＹ１  、Ｙ２  を抽出し、（Ｘ１  ＋Ｘ２  ）／２をＸ軸方向の中心位置、（Ｙ１  ＋Ｙ２  ）／２をＹ軸方向の中心位置とするとともに、線分Ｘ２  −Ｘ１  をＸ軸方向の大きさ、線分Ｙ２  −Ｙ１  をＸ軸方向の大きさとする。そして、この中心位置と大きさを現フィールドの画像と１フィールド前の画像との間で比較し、画像の移動量（移動ベクトル）と大きさの変化量を求める。
【００６２】
メモリコントローラ５３は、この動き検出部７３によって検出された画像の移動量（移動ベクトル）と大きさ変化とに基づいて画面の動きを相殺するようにメモリ５２から出力する画面の切り出し枠を制御する。
【００６３】
たとえば、図７に示すように、手振れ等により、中心位置が先行画像に対してΔＸ、ΔＹだけズレた場合は、切り出し枠の位置を−ΔＸ、−ΔＹだけ修正し、再び対象が当初選択された位置にくるように補正する。
【００６４】
また、図８に示すように、手振れ等により、対象の大きさ（面積）が先行画像に対して（Ｘ２  −Ｘ１  ）×（Ｙ２  −Ｙ１  ）→（Ｘ２  ’−Ｘ１  ’）×（Ｙ２  ’−Ｙ１  ’）となった場合は、切り出し枠の大きさを修正し、対象の大きさが再び当初選択された大きさになるように補正する。
【００６５】
このようにしてメモリ５２から読み出された画像データはメモリコントローラ５３を介して画像処理部６６に加えられ、所定の信号処理が施されたのちメモリ５２に記憶される。そして、このメモリ５２に記録された画像データが表示回路７０を介して液晶ディスプレイ１８に出力されることにより、手振れ補正及び大きさ補正された映像が液晶ディスプレイ１８に表示される。すなわち、手振れ等が生じても常に一定の位置が一定の大きさに表示される。
【００６６】
図９は、「固定ミラーモード」における携帯電話機１０の処理動作の手順を示すフローチャートである。
【００６７】
まず、「固定ミラーモード」が選択されると  （ステップＳ１０）、拡大表示する領域の指定が行なわれる  （ステップＳ１１）。この領域指定の結果、電子ズームの切り出し枠の位置、大きさが設定される。
【００６８】
次に、画像解析により、拡大表示させる対象の大きさ、位置が計測され、先行するフレームの画像に対するその変化量が求められる  （ステップＳ１２）。
【００６９】
そして、求めた結果から、対象の大きさ（面積）の変化の有無が判定され  （ステップＳ１３）、変化がある場合は、切り出し枠の大きさが修正される  （ステップＳ１４）。
【００７０】
一方、対象の大きさに変化が無い場合は、次いで、対象の位置の変化の有無が判定され  （ステップＳ１５）、変化がある場合は、切り出し枠の位置が修正される  （ステップＳ１６）。
【００７１】
このように、「固定ミラーモード」では、電子ズームの切り出し枠の大きさと位置を修正しながら、画像出力を行うことにより、常に一定の位置が一定の大きさで液晶ディスプレイ１８に表示される。そして、処理の中止の指示（たとえば、撮影モードの切り替えや電源のＯＦＦなど）が入力されると  （ステップＳ１７）、処理が終了する。
【００７２】
以上説明したように、本実施の形態の携帯電話機１０によれば、通常の撮影を行なう「通常モード」と、撮影画像を左右反転させて表示する「ミラーモード」とに加えて、その左右反転させた画像の中から撮影者が指定した部位を拡大して固定表示する「固定ミラーモード」とを備えているので、携帯電話機１０を顔に接近させなくても、離れた位置から見たい場所を容易に拡大して見ることができる。そして、この拡大表示させる画像は、手振れ補正処理及び大きさ補正処理が施され、常に一定の位置が一定の大きさで表示されるため見やすく、化粧直しなどの細かな作業も容易に行なうことができるようになる。
【００７３】
なお、本実施の形態では、手振れの検出に画像処理を利用しているが、携帯電話機１０に角速度センサを設け、この角速度センサによって手振れを検出するようにしてもよい。
【００７４】
図１０は、本発明が適用された携帯電話機の第２の実施の形態の外観図である。同図に示すように、この携帯電話機１００は、上述した第１の実施の形態の携帯電話機１０に対してライト１０２Ａ〜１０２Ｄと、そのライト１０２Ａ〜１０２ＤのＯＮ／ＯＦＦを指示するライト点灯ボタン１０４を備えている点で相違している。それ以外の基本構成は上述した第１の実施の形態の携帯電話機１０と同じなので、ここではライト１０２Ａ〜１０２Ｄの構成と、その作用についてのみ説明する。
【００７５】
上記のようにライト１０２Ａ〜１０２Ｄは液晶ディスプレイ１８の周囲４箇所に設けられている。すなわち、液晶ディスプレイ１８の右上、右下、左下、左上の計４箇所に設けられている。また、ライト点灯ボタン１０４は、表示側筐体１２の左側面に設けられている。
【００７６】
各ライト１０２Ａ〜１０２Ｄは、図１１に示すように、発光制御回路１０６によって発光が制御されており、発光制御回路１０６は、ＣＰＵ５０からの指令に基づいて、各ライト１０２Ａ〜１０２Ｄの発光をＯＮ／ＯＦＦさせる。
【００７７】
また、各ライト１０２Ａ〜１０２Ｄは指向性を有する照明手段で構成されており、図１２に示すように、各ライト１０２Ａ〜１０２Ｄごとに照射エリアが分かれている。すなわち、液晶ディスプレイ１８の右上に配置されたライト１０２Ａは撮像エリアの右上（Ａ領域）、液晶ディスプレイ１８の右下に配置されたライト１０２Ｂは撮像エリアの右下（Ｂ領域）、液晶ディスプレイ１８の左下に配置されたライト１０２Ｃは撮像エリアの左下（Ｃ領域）、液晶ディスプレイ１８の左上に配置されたライト１０２Ｄは撮像エリアの左上（Ｄ領域）のように、各ライト１０２Ａ〜１０２Ｄごとに照射するエリアが分かれて設定されている。
【００７８】
以上のように構成されたライト１０２Ａ〜１０２Ｄは、ライト点灯ボタン１０４を押すことにより点灯する。
【００７９】
ここで、「通常モード」と「ミラーモード」の場合、ライト点灯ボタン１０４を押すと、４つのライト１０２Ａ〜１０２Ｄがすべて点灯する。そして、点灯した４つのライト１０２Ａ〜１０２Ｄは、ファンクションボタン４０Ａ〜４０Ｄを押すことにより個別に消灯される。すなわち、「通常モード」と「ミラーモード」の場合、ライト点灯ボタン１０４を押すと、これをＣＰＵ５０が検知し、すべてのライト１０２Ａ〜１０２Ｄが点灯するように発光制御回路１０６に発光指令を出力する。発行制御回路１０６は、この発光指令を受けて、すべてのライト１０２Ａ〜１０２Ｄを点灯させる。この後、ファンクションボタン４０Ａ〜４０Ｄが押されると、ＣＰＵ５０がこれを検知し、押されたボタンに対応するライト１０２Ａ〜１０２Ｄを消灯させる。たとえば、ファンクションボタン４０Ａが押されると、ライト１０２Ａを消灯させ、ファンクションボタン４０Ｂが押されると、ライト１０２Ｂを消灯させる。一度消灯させたライト１０２Ａ〜１０２Ｄは、再びファンクションボタン４０Ａ〜４０Ｄを押すことにより再点灯し、この点灯させるライト１０２Ａ〜１０２Ｄの組み合わせにより、照射エリアを選択できるようになっている。たとえば、図１２に示すように、顔全体を見る場合は、すべてのライト１０２Ａ〜１０２Ｄを点灯させ、目だけを見る場合は、上側のライト、すなわちライト１０２Ａとライト１０２Ｄだけ点灯させる。
【００８０】
このように、「通常モード」と「ミラーモード」の場合、４つのライト１０２Ａ〜１０２Ｄを個別に点灯させることができる。
【００８１】
一方、「固定ミラーモード」の場合、ライト点灯ボタン１０４が押されると、拡大表示させた領域のライト１０２Ａ〜１０２Ｄが自動的に選択されて、発光される。すなわち、拡大表示させる領域のみが照射されるように、ライト１０２Ａ〜１０２Ｄの組み合わせがコントロールされる。たとえば、図１３に示す例では、拡大領域指定フレームＳで指定された領域が、ライト１０２Ｂとライト１０２Ｃとによって照らされる領域のみであるから、ライト１０２Ｂとライト１０２Ｃのみが点灯するように発光が制御される。
【００８２】
図１４は、この固定ミラーモードにおけるライト１０２Ａ〜１０２Ｄの発光動作の処理手順を示すフローチャートである。
【００８３】
「固定ミラーモード」の下、ライト点灯ボタン１０４が押されると、まず、切り出し枠の位置と大きさが確認される  （ステップＳ２１）。
【００８４】
次に、切り出し枠がＡ領域にかかっているか否かが判定され  （ステップＳ２２）、Ａ領域にかかっている場合は、Ａ領域を照らすライト１０２Ａが点灯される  （ステップＳ２３）。
【００８５】
次に、切り出し枠がＢ領域にかかっているか否かが判定され  （ステップＳ２４）、Ｂ領域にかかっている場合は、Ｂ領域を照らすライト１０２Ｂが点灯される  （ステップＳ２５）。
【００８６】
次に、切り出し枠がＣ領域にかかっているか否かが判定され  （ステップＳ２６）、Ｃ領域にかかっている場合は、Ｃ領域を照らすライト１０２Ｃが点灯される  （ステップＳ２７）。
【００８７】
次に、切り出し枠がＤ領域にかかっているか否かが判定され  （ステップＳ２８）、Ｄ領域にかかっている場合は、Ｄ領域を照らすライト１０２Ｄが点灯される  （ステップＳ２９）。
【００８８】
このように、切り出し枠がかかっている領域を検出し、その領域を照らすライト１０２Ａ〜１０２Ｄが自動で点灯される。
【００８９】
これにより、「固定ミラーモード」の場合には、必要最小限のライトのみが点灯されるので、無駄な電力消費を抑えることができる。
【００９０】
なお、本実施の形態では、液晶ディスプレイ１８の周囲４箇所にライト１０２Ａ〜１０２Ｄを配設しているが、ライトの設置数及び設置箇所はこれに限定されるものではない。たとえば、液晶ディスプレイ１８の周囲４箇所にライトを設置し、更に細かく照射領域を分割できるようにしてもよい。
【００９１】
また、本実施の形態では、切り出し枠の位置及び大きさに応じてライト１０２Ａ〜１０２ＤのＯＮ／ＯＦＦを制御しているが、領域Ａ〜Ｄにかかる切り出し枠の面積比により、各ライト１０２Ａ〜１０２Ｄの光量を制御するようにしてもよい。たとえば、領域Ａ、Ｂ、Ｃ、Ｄに面積比１：２：３：４の割合で切り出し枠がかかっている場合、各ライト１０２Ａ、１０２Ｂ、１０２Ｃ、１０２Ｄを１：２：３：４の光量比で点灯させる。
【００９２】
図１５は、本発明が適用された携帯電話機の第３の実施の形態の外観図である。同図に示すように、この携帯電話機１１０は、上述した第１の実施の形態の携帯電話機１０に対してズームライト１１２と、そのズームライト１１２のＯＮ／ＯＦＦを指示するライト点灯ボタン１１４を備えている点で相違している。それ以外の基本構成は上述した第１の実施の形態の携帯電話機１０と同じなので、ここではズームライト１１２の構成と、その作用についてのみ説明する。
【００９３】
ズームライト１１２は、液晶ディスプレイ１８の下部に設けらており、ライト点灯ボタン１１４の押下に応動してＯＮ／ＯＦＦされる。このズームライト１１２は、撮影時のズーム操作に連動して照射角が変化し、常に撮影画角に応じた範囲が照射されるように制御される。ズームライト１１２の発光及びズームの駆動は、図示しないライト制御回路によって制御されており、ライト制御回路は、ＣＰＵ５０からの指令に基づいてズームライト１１２の発光及びズームの駆動を制御する。
【００９４】
すなわち、「通常モード」及び「ミラーモード」において、十字ボタン３６の上下のボタンが押されると、電子ズームが機能するが、この電子ズームの画角変化に応じて照射角が変化するように、ズームライト１１２のズームが駆動制御される。
【００９５】
これにより、ズームライト１１２の光源から発射する光を効率よく利用して、撮影者自身を照らすことができる。
【００９６】
なお、本実施の形態では、ズームライト１１２の照射方向は固定とされているが、「固定ミラーモード」でも使用できるように、照射方向を変えられるようにしてもよい。すなわち、「固定ミラーモード」で拡大表示させる領域として選択された領域がズームライト１１２から照射された光で照らされるように、ズームライト１１２の照射方向を変化させる。これにより、選択された領域が画面中央にない場合であっても、ズームライトから照射される光を選択された領域に当てることができ、ズームライト１１２の光を効率よく利用することができる。
【００９７】
なお、上述した一連の実施の形態では、本発明をカメラ付きの携帯電話機に適用した場合を例に説明したが、撮像手段と表示手段を備えたカメラ付きの携帯情報端末（たとえばＰＤＡ）であれば、本実施の形態と同様に適用することができる。
【００９８】
また、撮影レンズをモニタと同じ方向に向けて撮影者自身を撮影できるデジタルスチルカメラやデジタルビデオカメラにも同様に適用することができる。
【００９９】
また、本実施の形態では、表示手段として液晶ディスプレイを使用しているが、この他に有機ＥＬパネルやＣＲＴなどを使用してもよい。
【０１００】
また、本実施の形態では、カメラユニット４２をヒンジ部１６に回動自在に設けることにより、表示側筐体１２の外側と内側の両方に向けられるように構成しているが、表示側筐体１２の内側と外側のそれぞれに固定式のカメラユニットを設けることにより、表示側筐体１２の内側と外側の両方を撮影できるようにしてもよい。
【０１０１】
【発明の効果】
以上説明したように、本発明によれば、撮影画像の一部を左右反転させて拡大表示させることができるので、離れた場所から細かい部分を拡大して見ることができる。また、手振れ等が生じた場合には、その画像揺れが補正されて表示手段に表示されるので、安定した画像を見ることができる。
【図面の簡単な説明】
【図１】本発明が適用された携帯電話機の第１の実施の形態の外観図
【図２】第１の実施の形態の携帯電話機の内部構成を示すブロック図
【図３】通常モードとミラーモードの説明図
【図４】電子ズームの説明図
【図５】固定ミラーモードの説明図
【図６】画像の移動量と大きさの変化量の求め方の説明図
【図７】手振れ補正処理の説明図
【図８】大きさ補正処理の説明図
【図９】固定ミラーモードの処理動作の手順を示すフローチャート
【図１０】本発明が適用された携帯電話機の第２の実施の形態の外観図
【図１１】第２の実施の形態の携帯電話機の内部構成を示すブロック図
【図１２】第２の実施の形態の携帯電話機の作用の説明図
【図１３】第２の実施の形態の携帯電話機の作用の説明図
【図１４】固定ミラーモード時のライトの発光動作の処理手順を示すフローチャート
【図１５】本発明が適用された携帯電話機の第３の実施の形態の外観図
【符号の説明】
１０…携帯電話機、１８…液晶ディスプレイ、２４…操作部、４２…カメラユニット、４４…撮影レンズ、５０…中央演算処理装置（ＣＰＵ）、５２…メモリ、５３…メモリコントローラ、６２…ＣＣＤイメージセンサ（ＣＣＤ）、６６…画像処理部、７０…表示回路、７３…動き検出部、１００…携帯電話機、１０２Ａ〜１０２Ｄ…ライト、１０４…ライト点灯ボタン、１１０…携帯電話機、１１２…ズームライト、１１４…ライト点灯ボタン
【図１】
2005005791.tif 000003
【図２】
2005005791.tif 000004
【図３】
2005005791.tif 000005
【図４】
2005005791.tif 000006
【図５】
2005005791.tif 000007
【図６】
2005005791.tif 000008
【図７】
2005005791.tif 000009
【図８】
2005005791.tif 000010
【図９】
2005005791.tif 000011
【図１０】
2005005791.tif 000012
【図１１】
2005005791.tif 000013
【図１２】
2005005791.tif 000014
【図１３】
2005005791.tif 000015
【図１４】
2005005791.tif 000016
【図１５】
2005005791.tif 000017